(57)【特許請求の範囲】
【請求項１】
用紙に印刷を行う印刷部と，
前記印刷部によって印刷された印刷物の排紙先である排紙部と，
ユーザを識別する識別部と，
前記識別部によって識別されたユーザの印刷物が前記排紙部に載置されていると判断する第１条件と，前記識別部によって識別されたユーザのジョブがジョブキューにあると判断する第２条件との少なくとも一方を満たす場合に，印刷物を取り除く機会を与える機会付与処理を実行する実行部と，
を備え，
低速印刷モードと高速印刷モードとがあり，
前記実行部は，前記第１条件と前記第２条件との少なくとも一方を満たすとともに，前記高速印刷モードであった場合に，前記機会付与処理を実行することを特徴とする印刷装置。
【請求項２】
請求項１に記載する印刷装置において，
前記排紙部が複数あり，
前記実行部は，前記識別部によって識別されたユーザの印刷物が積載されている排紙部を排紙先としている場合に，前記機会付与処理を実行することを特徴とする印刷装置。
【請求項３】
請求項１または請求項２に記載する印刷装置において，
前記実行部は，未印刷のジョブの量が規定値以下である場合には，前記機会付与処理の実行を制限することを特徴とする印刷装置。
【請求項４】
請求項１から請求項３のいずれか１つに記載する印刷装置において，
前記実行部は，前記第１条件の判断に，用紙に設けられた記憶素子との無線通信を利用することを特徴とする印刷装置。
【請求項５】
請求項１から請求項４のいずれか１つに記載する印刷装置において，
前記実行部は，所定時間が経過したことを契機に，前記機会付与処理の実行を取り消すことを特徴とする印刷装置。
【請求項６】
請求項１から請求項５のいずれか１つに記載する印刷装置において，
前記機会付与処理では，前記排紙部への排紙能力を低下させる低排紙処理を行うことを特徴とする印刷装置。
【請求項７】
請求項６に記載する印刷装置において，
前記低排紙処理では，用紙搬送速度を落とす処理と，用紙搬送を停止する処理と，用紙の搬送間隔を広げる処理と，の少なくとも１つを行うことを特徴とする印刷装置。
【請求項８】
請求項１から請求項７のいずれか１つに記載する印刷装置において，
前記機会付与処理は，排紙先を変更する処理であることを特徴とする印刷装置。
【請求項９】
請求項１から請求項８の少なくとも１つに記載する印刷装置において，
前記実行部は，前記第１条件を満たす場合にのみ，前記機会付与処理を実行することを特徴とする印刷装置。
【発明の詳細な説明】
【技術分野】
【０００１】
本発明は，用紙に画像を印刷する印刷装置に関する。
【背景技術】
【０００２】
近年，プリンタ，コピー機，ＦＡＸ装置等の印刷機能を有する印刷装置では，印刷速度の向上が著しい。この印刷速度の高速化に伴って，連続印刷中に排紙先のトレイから印刷物を取り除き難い傾向にある。そこで，連続印刷中に，印刷物を取り除く機会を与える機会付与機能に関する技術が開示されている。
【０００３】
この機会付与機能に関する技術としては，例えば特許文献１に開示された印刷装置がある。この印刷装置には，排紙先のトレイを切り換える切換スイッチがあり，ユーザが切換スイッチを操作して印刷物の排紙先を変更することで，ユーザに印刷物を取り除く機会を与えている。また，特許文献１では，一時停止スイッチによって装置を停止させる技術についても言及している。
【先行技術文献】
【特許文献】
【０００４】
【特許文献１】特開２００６−０１６１３０号公報
【発明の概要】
【発明が解決しようとする課題】
【０００５】
しかしながら，前記した従来の印刷装置には，次のような問題があった。すなわち，印刷装置の切換スイッチ等は，ジョブを投入したユーザ以外のユーザ（つまり，利害関係に無いユーザ）であっても操作可能である。そのため，例えば，そのような利害関係に無いユーザに排紙先を切り換えられると，ジョブを投入したユーザ（つまり，利害関係にあるユーザ）にとっては意図しないトレイに印刷物が排紙されることになり，印刷物を捜す手間が増える。その結果，印刷物の取り出し作業に反って手間がかかる。また，例えば，利害関係に無いユーザが装置を一時停止させると，生産性の悪化を招く。
【０００６】
本発明は，前記した従来の印刷装置が有する問題点を解決するためになされたものである。すなわちその課題とするところは，利害関係にあるユーザにとって印刷物の取得効率が良い印刷装置を提供することにある。
【課題を解決するための手段】
【０００７】
この課題の解決を目的としてなされた印刷装置は，用紙に印刷を行う印刷部と，印刷部によって印刷された印刷物の排紙先である排紙部と，ユーザを識別する識別部と，識別部によって識別されたユーザの印刷物が排紙部に載置されていると判断する第１条件と，識別部によって識別されたユーザのジョブがジョブキューにあると判断する第２条件との少なくとも一方を満たす場合に，印刷物を取り除く機会を与える機会付与処理を実行する実行部とを備えることを特徴としている。
【０００８】
本発明の印刷装置は，機会付与処理の実行にあたって，ユーザを識別する。そして，識別されたユーザ（識別ユーザ）の印刷物が排紙部に載置されていると判断する第１条件と，識別ユーザのジョブがジョブキューにあると判断する第２条件との少なくとも一方を満たす場合に，機会付与処理を実行する。
【０００９】
すなわち，本発明の印刷装置は，識別ユーザの印刷物が排紙先にあると判断できる，あるいはその識別ユーザのジョブがジョブキューにあると判断できる際に，機会付与処理を実行する。換言すると，印刷物もジョブも無いユーザ，すなわち利害関係に無いユーザによる，機会付与処理の実行を制限する。このことにより，利害関係にある識別ユーザの意図しないところでの，作業性の悪化や生産性の悪化が抑制される。
【００１０】
また，本発明の印刷装置は，排紙部が複数あり，実行部は，識別部によって識別されたユーザの印刷物が積載されている排紙部を排紙先としている場合に，機会付与処理を実行するとよい。識別ユーザの印刷物が積載されている排紙部が排紙先となっていると，印刷物の取り出し性の問題が顕著になる。一方で，識別ユーザが利用していない排紙部が排紙先になっている場合には，識別ユーザの印刷物の取り除き作業は容易である。そのため，生産性の観点から，識別ユーザの印刷物がある排紙部が排紙先となっている場合にのみ機会付与処理を実行可能にする方が望ましい。
【００１１】
また，本発明の印刷装置の実行部は，未印刷のジョブの量が規定値以下である場合には，機会付与処理の実行を制限するとよい。未印刷のジョブの量（例えば，残りの印刷枚数）が規定値以下の場合は，印刷が早期に完了すると予測される。印刷が早期に完了するのであれば，機会付与処理を行わずとも印刷完了を待って印刷物を取り除いてもユーザの不満は少ない。
【００１２】
また，本発明の印刷装置の実行部は，第１条件の判断に，用紙に設けられた記憶素子との無線通信を利用するとよい。無線通信によって実際に用紙の存在を把握することで，実際に排紙部に載置されている用紙の有無に即した制御を行うことが期待できる。無線通信を可能にする記憶素子としては，例えば，ＲＦＩＤ（Radio Frequency IDentification）タグが適用可能である。
【００１３】
また，本発明の印刷装置の実行部は，所定時間が経過したことを契機に，機会付与処理の実行を取り消すとよい。機会付与処理は，印刷物を取り除く機会を与える一方で，生産性に対する悪影響が懸念される。そのため，所定期間にのみ機会付与処理を実行し，その期間が経過した後は元の状態に戻すことが望ましい。
【００１４】
また，本発明の印刷装置は，低速印刷モードと高速印刷モードとがあり，実行部は，第１条件と第２条件との少なくとも一方を満たすとともに，高速印刷モードであった場合に，機会付与処理を実行するとよい。低速印刷モードでは，印刷物を取り除く際の問題が生じ難い。そのため，高速印刷モードでのみ機会付与処理を実行する方が望ましい。
【００１５】
また，機会付与処理では，排紙部への排紙能力を低下させる低排紙処理を行うとよい。この構成のように機会付与処理で低出力印刷を行うことで，排紙間隔が長くなり，印刷物が取り除きやすくなることが期待できる。一方で，利害関係に無いユーザによって低排紙処理が実行されると，利害関係にあるユーザの意図しないところでの生産性の低下が懸念される。そのため，本発明のようにユーザによって低排紙処理の実行を制限することで，これを抑制できる。また，低排紙処理は，排紙先が同じであるため，ユーザが印刷物を捜す必要がない。なお，低排紙処理では，例えば，用紙搬送速度を落とす処理と，用紙搬送を停止する処理と，用紙の搬送間隔を広げる処理と，の少なくとも１つを行うとよい。
【００１６】
また，機会付与処理は，排紙先を変更する処理であってもよい。この構成のように機会付与処理で排紙先を変更することで，これまで排紙先であったトレイ上の印刷物を容易に取り除くことができる。一方で，利害関係に無いユーザによって排紙先が変更されると，利害関係にあるユーザの意図しない排紙部に印刷物が散在してしまうおそれがあり，作業性の悪化が懸念される。そのため，本発明のようにユーザによって排紙先の変更を制限することで，これを抑制できる。また，出力能力を低下させないので印刷完了までの時間に遅れが生じ難い。
【００１７】
また，本発明の印刷装置の実行部は，第１条件を満たす場合にのみ，機会付与処理を実行するとよい。第１条件を満たす場合には，識別ユーザの印刷物が排紙先にあり，その印刷物を取り除く可能性が高い。そのため，機会付与処理によって印刷物を取り除く機会を付与することが望ましい。
【発明の効果】
【００１８】
本発明によれば，利害関係にあるユーザにとって印刷物の取得効率が良い印刷装置が実現される。
【図面の簡単な説明】
【００１９】
【図１】実施の形態にかかるプリンタの外観を示す斜視図である。
【図２】図１に示したプリンタの内部構成を示す断面図である。
【図３】図１に示したプリンタの電気的構成を示すブロック図である。
【図４】識別番号の入力画面の例を示す図である。
【図５】第１の形態にかかる排紙調整処理の手順を示すフローチャートである。
【図６】第１の形態にかかる必要判定処理の手順を示すフローチャートである。
【図７】印刷が完了したジョブの情報を記憶するデータベースの一例を示す図である。
【図８】第１の形態にかかる管理処理の手順を示すフローチャートである。
【図９】第２の形態にかかる排紙調整処理の手順を示すフローチャートである。
【発明を実施するための形態】
【００２０】
以下，本発明にかかる印刷装置を具体化した実施の形態について，添付図面を参照しつつ詳細に説明する。本形態は，高速印刷が可能な電子写真方式のプリンタに本発明を適用したものである。
【００２１】
［プリンタの全体構成］
本形態のプリンタ１００は，図１に示すように，用紙に印刷を行う本体部１０と，本体部１０で印刷された用紙の排紙先となる排紙トレイを複数具備する増設排紙部２０とを備えている。本体部１０は，カバー１１内に印刷エンジンとなるプロセスカートリッジを収容する。増設排紙部２０は，本体部１０の上面に本体部１０から着脱可能に取り付けられる。
【００２２】
本体部１０は，その底部に，印刷前の用紙を収容する給紙カセット９１を備えている。なお，給紙カセット９１は，１つに限るものではない。例えば，給紙カセット９１のさらに下面に，増設給紙カセットを取り付けてもよい。また，本体部１０は，その上面に，印刷後の用紙（印刷物）を印刷面が下向きになるように載置する排紙トレイ９３を備えている。
【００２３】
また，本体部１０は，その前面に，手差し給紙を可能にする多目的トレイ９４が設けられている。多目的トレイ９４は，本体部１０のカバー１１に開閉自在に配設されており，下辺側に設けられた回転軸を中心に回動させると開放状態となる。そして，開放状態とすることで，多目的トレイ９４を利用した給紙が可能になる。また，本体部１０は，その背面に，印刷物を印刷面が上向きになるように載置する排紙トレイ９５が設けられている。排紙トレイ９５も，本体部１０のカバー１１に開閉自在に配設されており，開放状態とすることで排紙トレイ９５を排紙先として利用可能になる。
【００２４】
また，本体部１０の上面には，液晶ディスプレイからなる表示部４１と，ＯＫボタン，キャンセルボタン，テンキー等から構成されるボタン群４２とを備えた操作パネル４０が設けられている。特に，ボタン群４２には，ユーザ認証を行うための入力画面への切り換えを指示するユーザ認証ボタン４２１が含まれる。この操作パネル４０により，動作状況の表示やユーザによる入力操作が可能になる。
【００２５】
増設排紙部２０は，５段の排紙トレイ群９６を備えている。本形態では，排紙トレイ群９６を構成する各排紙トレイを，下から順に上に向かって，排紙トレイ９６１，９６２，９６３，９６４，９６５とする。なお，増設排紙トレイ部２０は，５段の排紙トレイに限るものではない。すなわち，４段以下であってもよいし，６段以上であってもよい。
【００２６】
［プリンタの内部構成］
続いて，プリンタ１００の内部構成について，図２を参照しつつ説明する。プリンタ１００の本体部１０は，電子写真方式によってトナー像を形成し，そのトナー像を用紙に転写するプロセス部５０と，転写後の未定着のトナーを用紙に定着させる定着装置８と，用紙搬送に利用される各種ローラ（例えば，給紙ローラ７１，レジストローラ７２，排紙ローラ７３，搬入ローラ７４，排紙ローラ７５）とを備えている。また，増設排紙部２０は，排紙トレイ９６１に用紙を搬送する排紙ローラ７６１と，排紙トレイ９６２に用紙を搬送する排紙ローラ７６２と，排紙トレイ９６３に用紙を搬送する排紙ローラ７６３と，排紙トレイ９６４に用紙を搬送する排紙ローラ７６４と，排紙トレイ９６５に用紙を搬送する排紙ローラ７６５とを備えている。
【００２７】
また，プリンタ１００の本体部１０内には，底部に位置する給紙カセット９１に収容された用紙が，給紙ローラ７１，レジストローラ７２，プロセス部５０，定着装置８を通り，排紙ローラ７３を介して排紙トレイ９３への導かれるように，略Ｓ字形状の搬送路２１（図２中の一点鎖線）が設けられている。
【００２８】
また，プリンタ１００の本体部１０内には，多目的トレイ９４から搬入された用紙が搬入ローラ７４を介してプロセス部５０へ導かれるように，略直線状の搬送経路２４が設けられている。また，プリンタ１００の本体部１０内には，定着装置８を通過した用紙が排紙ローラ７５を介して排紙トレイ９５へ導かれるように，略直線状の搬送経路２５が設けられている。
【００２９】
また，プリンタ１００内には，印刷済みの用紙を増設排紙トレイ部２０に搬入し，所定の排紙先に導かれるように，搬送路２２が設けられている。具体的には，増設排紙部２０に搬入された用紙は，排紙ローラ７６１を介して排紙トレイ９６１に導かれる。あるいは，排紙ローラ７６２を介して排紙トレイ９６２に導かれる。排紙ローラ７６３を介して排紙トレイ９６３に導かれる。排紙ローラ７６４を介して排紙トレイ９６４に導かれる。排紙ローラ７６５を介して排紙トレイ９６５に導かれる。
【００３０】
プロセス部５０は，周知の電子写真方式によってトナー像を形成するものであり，感光体１と，感光体１の表面を一様に帯電する帯電装置２と，感光体１の表面を露光して静電潜像を形成する露光装置３と，静電潜像に対してトナーによる現像を行う現像装置４と，感光体１上のトナー像を用紙に転写する転写装置５とを有している。感光体１，帯電装置２，および現像装置４は，プロセスカートリッジとして構成され，本体部１０に対して着脱可能になっている。
【００３１】
プロセス部５０では，感光体１の表面が帯電装置２によって一様に帯電される。その後，露光装置３からの光により露光され，用紙に形成すべき画像の静電潜像が形成される。次いで，現像装置４を介して，着色剤であるトナーが感光体１に供給される。これにより，感光体１上の静電潜像は，トナー像として可視像化される。
【００３２】
プリンタ１００は，給紙カセット９１に載置されている用紙あるいは多目的トレイ９４から送り込まれた用紙を１枚ずつ取り出し，その用紙をプロセス部５０に搬送する。そして，プロセス部５０の感光体１上に形成されたトナー像を転写装置５によってその用紙に転写する。その後は，トナー像が転写された用紙を定着装置８に搬送し，トナー像をその用紙に熱定着させる。そして，定着後の用紙を，ジョブに指定された排紙トレイに排出する。
【００３３】
また，プリンタ１００は，本体部１０内に，所定範囲内に存在するＲＦＩＤタグを検知し，そのＲＦＩＤタグに対してデータの読み出しおよび書き込みを行うことが可能なＲ／Ｗ装置６１を備えている。Ｒ／Ｗ装置６１は，ＲＦＩＤタグが付着された用紙（以下，「ＲＦＩＤ用紙」とする）がプリンタ１００のどの排紙トレイ上に載置されたとしても，そのＲＦＩＤタグにアクセス可能な範囲に配置される。
【００３４】
［プリンタの電気的構成］
続いて，プリンタ１００の電気的構成について説明する。プリンタ１００は，図３に示すように，ＣＰＵ３１と，ＲＯＭ３２と，ＲＡＭ３３と，ＮＶＲＡＭ３４と，ＡＳＩＣ３５と，ネットワークインターフェース３６とを備えた制御部３０を有している。制御部３０は，プロセス部５０，操作パネル４０，Ｒ／Ｗ装置６１，さらには本体部１０や増設排紙部２０内に配置された各種ローラの駆動モータ（不図示）等と電気的に接続されている。
【００３５】
ＣＰＵ３１は，プリンタ１００における印刷機能や，後述する機会付与機能等の各種機能を実現するための演算を実行し，制御の中枢となるものである。ＲＯＭ３２には，プリンタ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。ＮＶＲＡＭ（Non Volatile RAM）３４は，不揮発性を有する記憶手段であって，各種設定ないし画像データ等を保存する記憶領域として利用される。
【００３６】
ＣＰＵ３１は，ＲＯＭ３２から読み出した制御プログラムや各種センサから送られる信号に従って，その処理結果をＲＡＭ３３またはＮＶＲＡＭ３４に記憶させながら，プリンタ１００の各構成要素をＡＳＩＣ３５を介して制御する。
【００３７】
ネットワークインターフェース３６は，インターネット等のネットワークに接続され，パーソナルコンピュータ（ＰＣ）等の情報処理装置との接続を可能にしている。そして，ネットワークインターフェース３６を介してジョブを受け渡すことができる。
【００３８】
［ユーザ認証機能］
続いて，ユーザを識別するユーザ認証機能について説明する。プリンタ１００は，ユーザが操作部４０を操作することで，ユーザの識別番号を取得し，その識別番号に基づいてユーザを識別することができる。
【００３９】
具体的には，ユーザによってユーザ認証ボタン４２１が押下されると，図４に示すように識別番号の入力を促す画面を表示部４１に表示する。ユーザが識別番号を入力した後，ＯＫボタンを押下すると，プリンタ１００は，その識別番号を取得する。そして，プリンタ１００は，プリンタ１００自身が有するデータベースやサーバが有するデータベースにアクセスすることで，識別番号に対応するユーザを特定する。なお，以下の説明では，ユーザ認証によって識別されたユーザを「識別ユーザ」とする。
【００４０】
［機会付与機能］
［第１の形態］
続いて，ユーザに印刷物を取り除く機会を与える機会付与機能について説明する。第１の形態では，連続印刷中に所定の条件を満たすことで，排紙能力を低下させ，印刷物の排紙ペースを下げる。具体的には，用紙搬送速度を落とす，用紙搬送を一時停止する，用紙の搬送間隔を広げるの，少なくとも１つを行うことで，排紙能力を低下させる。排紙能力が低下すると，印刷物の排出ペースが下がり，先に排出された印刷物を取り除き易くなる。つまり，第１の形態では，排紙能力を低下させることによって，ユーザに印刷物を取り除く機会を与える。第１の形態では，この排紙能力を低下させる処理を「機会付与処理」とする。
【００４１】
［排紙調整処理］
以下，前述した機会付与機能を動作させる排紙調整処理の手順について，図５のフローチャートを参照しつつ説明する。この排紙調整処理は，ユーザ認証が行われる度に，ＣＰＵ３１によって実行される。
【００４２】
まず，印刷ジョブの処理中であるか否かを判断する（Ｓ１０１）。プリンタ１００が印刷物を排紙していなければ，印刷物が取り難くなる問題は生じない。そこで，印刷ジョブの処理中でなければ（Ｓ１０１：ＮＯ），機会付与処理を実行することなく，Ｓ１０７に移行する。一方，印刷ジョブの処理中であれば（Ｓ１０１：ＹＥＳ），所定の条件に基づいて機会付与処理の必要性を判定する（Ｓ１０２）。
【００４３】
図６は，Ｓ１０２の必要判定処理の手順を示している。必要判定処理では，まず，高速印刷モードで印刷中であるか否かを判断する（Ｓ１２１）。プリンタ１００は，高速印刷モードと低速印刷モードとを有している。そして，用紙種別や解像度によって印刷モードが決まる。例えば，厚紙に印刷する場合には，定着に時間がかかることから低速印刷モードになる。また，基準値以上の高解像度印刷を行う場合にも低速印刷モードになる。これらの要件を満たさない場合には，高速印刷モードになる。
【００４４】
低速印刷モードでの印刷の際には，排紙ペースが遅く，印刷物が取り難くなる問題が生じ難い。そこで，低速印刷モードで印刷中の場合には（Ｓ１２１：ＮＯ），機会付与処理の必要無しと判定し（Ｓ１３１），必要判定処理を終了する。
【００４５】
高速印刷モードで印刷中の場合には（Ｓ１２１：ＹＥＳ），ユーザ認証情報を取得する（Ｓ１２２）。さらに，印刷済みの印刷ジョブの情報を取得する（Ｓ１２３）。なお，プリンタ１００は，図７に示すように，印刷済みの印刷ジョブの情報（ジョブ名，ユーザ，排紙先，完了日時等）を記憶するデータベース３４１を有している。そして，印刷ジョブが完了する度に，その印刷済みの印刷ジョブの情報（以下，「印刷済ジョブ情報」とする）をデータベース３４１に登録する。Ｓ１２３では，データベース３４１に記憶されている情報を読み出す。さらに，プリンタ１００のジョブキューに現在登録されている印刷ジョブの情報を取得する（Ｓ１２４）。このジョブの情報にも，ユーザ名や排紙先等が含まれる。なお，Ｓ１２２，Ｓ１２３，Ｓ１２４の順番は不問である。
【００４６】
次に，印刷中のジョブの未印刷分の印刷枚数と，後続ジョブの印刷枚数との総印刷枚数（以下，「印刷残枚数」とする）を計算し，その印刷残枚数が閾値以上であるか否かを判断する（Ｓ１２５）。印刷残枚数が閾値よりも少なければ，早期に印刷が完了することが予想される。印刷が早期に完了するのであれば，印刷完了を待ったとしてもユーザの不満は少ない。そこで，印刷残枚数が閾値よりも少ない場合には（Ｓ１２５：ＮＯ），機会付与処理の必要無しと判定し（Ｓ１３１），必要判定処理を終了する。
【００４７】
印刷残枚数が閾値以上の場合には（Ｓ１２５：ＹＥＳ），Ｓ１２３あるいはＳ１２４で取得した情報の中に，識別ユーザのジョブがあるか否かを判断する（Ｓ１２６）。すなわち，Ｓ１２３で取得した印刷済ジョブ情報に基づいて，識別ユーザの印刷物が排紙トレイ上に載置されているか否かを判断する。さらに，Ｓ１２４で取得したジョブキューの登録情報に基づいて，識別ユーザのジョブが排紙予定であるか否かを判断する。
【００４８】
なお，Ｓ１２３で取得した印刷済ジョブ情報は，あくまでも排紙先，ジョブ，およびユーザを関連付けた情報であって，ユーザがその印刷物を取り除いたか否かは不明である。そのため，実際に排紙トレイ上に存在するかは不問である。
【００４９】
また，ＲＦＩＤ用紙に印刷した場合には，Ｒ／Ｗ装置６１によってＲＦＩＤタグにアクセスすることで，そのＲＦＩＤ用紙については排紙トレイ上に実際に印刷物が残っているか否かを判断できる。そのため，ＲＦＩＤ用紙への印刷の場合には，Ｒ／Ｗ装置６１が読み出した情報を優先して排紙トレイ上に印刷物があるか否かを判断する。
【００５０】
識別ユーザのジョブがどの排紙トレイにも存在しない，さらにはどの排紙トレイにも排紙予定がない場合には，ユーザが印刷物を取り除く作業を行う可能性が低い。そこで，識別ユーザの印刷物あるいはジョブが無いと判断した場合には（Ｓ１２６：ＮＯ），機会付与処理の必要無しと判定し（Ｓ１３１），必要判定処理を終了する。
【００５１】
識別ユーザの印刷物あるいはジョブがあると判断した場合には（Ｓ１２６：ＹＥＳ），識別ユーザの印刷物が載置されている排紙トレイを抽出する（Ｓ１２７）。そして，Ｓ１２７で抽出したトレイが排紙先となっているか否か，すなわち現在排紙先となっている排紙トレイが，Ｓ１２７で抽出した排紙トレイに含まれるか否かを判断する（Ｓ１２８）。
【００５２】
現在排紙先となっている排紙トレイが抽出されなければ，ユーザがその排紙先となっている排紙トレイから印刷物を取り除く作業を行う可能性が低い。そこで，現在排紙先となっている排紙トレイが抽出されなければ（Ｓ１２８：ＮＯ），機会付与処理の必要無しと判定し（Ｓ１３１），必要判定処理を終了する。
【００５３】
一方，現在排紙先となっている排紙トレイが抽出された場合には，ユーザがその排紙先となっている排紙トレイから印刷物を取り除く作業を行う可能性が高いと判断できる。そこで，現在排紙先となっている排紙トレイが抽出された場合には（Ｓ１２８：ＹＥＳ），機会付与処理の必要有りと判定し（Ｓ１２９），必要判定処理を終了する。
【００５４】
図５の排紙調整処理に戻り，Ｓ１０２の処理にて機会付与処理が必要有りと判断されたか否かを判断する（Ｓ１０３）。機会付与処理が必要無しと判断された場合には（Ｓ１０３：ＮＯ），機会付与処理を実行することなく，Ｓ１０７に移行する。
【００５５】
一方，機会付与処理が必要有りと判断された場合には（Ｓ１０３：ＹＥＳ），機会付与処理を実行する。具体的に第１の形態では，排紙能力を低下させる処理を実行する（Ｓ１０４）。これにより，印刷物の排紙ペースが下がり，排紙先となっている排紙トレイ上の印刷物が取り除き易くなる。
【００５６】
Ｓ１０４による機会付与処理の開始後，規定時間が経過したか否かを判断する（Ｓ１０５）。規定時間が経過していない場合には（Ｓ１０５：ＮＯ），規定時間が経過するまで機会付与処理を継続する。規定時間が経過している場合には（Ｓ１０５：ＹＥＳ），排紙能力を元に戻す（Ｓ１０６）。つまり，一定期間，排紙能力を低下させて印刷物を取り除く機会を付与し，その後は機会付与処理が実行される前の状態に戻す。これにより，長時間，排紙能力が低下した状態になることを回避する。
【００５７】
Ｓ１０６の後，あるいは印刷ジョブの処理中でなかった場合（Ｓ１０１：ＮＯ），あるいは機会付与処理の必要が無いと判断された場合には（Ｓ１０３：ＮＯ），データベース３４１中，識別ユーザの印刷済ジョブ情報を削除する（Ｓ１０７）。すなわち，印刷物を取り除く機会が与えられた後，あるいは印刷物を取り除く機会が不要であった場合には，その識別ユーザが印刷物を取り除く作業を行う可能性が低いと判断できる。そのため，データベース３４１中の，識別ユーザに関する印刷済ジョブ情報を削除し，これらの情報に起因して機会付与処理が繰り返し実行されることを回避する。Ｓ１０７の後，排紙調整処理を終了する。
【００５８】
［管理処理］
続いて，印刷済みジョブ情報を管理する管理処理について，図８のフローチャートを参照しつつ説明する。この管理処理は，ＣＰＵ３１によって定期的に実行される。
【００５９】
まず，完了した印刷ジョブがあるか否かを判断する（Ｓ１５１）。完了した印刷ジョブがある場合には（Ｓ１５１：ＹＥＳ），印刷済ジョブ情報を記憶するデータベース３４１に当該印刷ジョブの情報を登録する（Ｓ１６１）。この登録情報には，少なくとも，ジョブ，ユーザ，排紙先，完了日時をそれぞれ特定できる情報が含まれる。Ｓ１６１の後，管理処理を終了する。
【００６０】
完了した印刷ジョブが無い場合には（Ｓ１５１：ＮＯ），タイムアウトした印刷済ジョブ情報があるか否かを判断する（Ｓ１５２）。具体的には，各印刷済ジョブ情報の完了日時を参照し，その時刻からの経過時間が基準時間（例えば，１時間）以上のデータをタイムアウトした印刷済ジョブ情報とする。
【００６１】
各印刷済ジョブ情報の完了日時からの経過時間が長いジョブは，そのジョブに対応する印刷物が既に取り除かれた可能性が高い。そのため，タイムアウトした印刷済ジョブ情報がある場合には（Ｓ１５２：ＹＥＳ），その印刷済ジョブ情報をデータベース３４１から削除する（Ｓ１７１）。タイムアウトした印刷済ジョブ情報がない場合（Ｓ１５２：ＮＯ），あるいはＳ１７１の後，管理処理を終了する。
【００６２】
［第２の形態］
続いて，排紙調整処理の他の実施例について説明する。第２の形態では，機会付与処理として，排紙先を切り換える。この点，機会付与処理として，排紙能力を低下させる第１の形態と異なる。以下，本形態の排紙調整処理を，図９のフローチャートを参照しつつ説明する。なお，第１の形態と同じ処理については同じステップ番号を付与し，説明を省略する。
【００６３】
本形態の排紙調整処理では，Ｓ１０３にて機会付与処理が必要と判断された場合（Ｓ１０３：ＹＥＳ），切り換え先となる排紙トレイを自動選択する（Ｓ２０３）。Ｓ２０３では，識別ユーザの印刷物が載置されていないと判断される排紙トレイ，すなわち必要判定処理のＳ１２７の処理で抽出されなかった排紙トレイを優先して選択する。この他，印刷済ジョブ情報に基づいて各排紙トレイの印刷物の積載枚数を計算し，積載枚数が最も少ない排紙トレイを選択してもよい。
【００６４】
その後，排紙先を，Ｓ２０３で選択された排紙トレイに切り換える（Ｓ２０４）。これにより，識別ユーザの印刷物が載置されている排紙トレイに排紙される可能性が低くなり，印刷物が取り除き易くなることが期待できる。その後，規定時間が経過するまで待機し（Ｓ１０５），規定時間の経過後は排紙先を元に戻す（Ｓ２０６）。これにより，識別ユーザ以外のユーザへの影響を少なくする。
【００６５】
このように第２の形態では，排紙能力を低下させることなく，排紙先を切り換えて印刷物を取り除く機会を与える。そのため，第１の形態と比較して，印刷完了までの時間に遅れが生じ難い。一方，第１の形態では，排紙先を切り換えることなく，排紙能力を低下させて印刷物を取り除く機会を与える。つまり，１つのジョブの印刷物が１つの排紙トレイに纏まることから，第２の形態のように複数の排紙トレイに１つのジョブの印刷物が散在することがない。そのため，第２の形態と比較して，印刷物を収集する手間が少ない。
【００６６】
以上詳細に説明したように実施の形態のプリンタ１００は，ユーザ認証が行われた後，利害関係にある識別ユーザの印刷物が排紙先にあると判断できる（第１条件），あるいはその識別ユーザのジョブがジョブキューにあると判断できる（第２条件）等の，機会付与処理の実行の必要性を判断し，必要に応じて機会付与処理を実行する。換言すると，識別ユーザの印刷物あるいはジョブが無ければ機会付与処理の実行が制限される。このことにより，利害関係にあるユーザの意図しないところでの，印刷物を取り除く作業性の悪化や生産性の悪化が抑制される。
【００６７】
なお，本実施の形態は単なる例示にすぎず，本発明を何ら限定するものではない。したがって本発明は当然に，その要旨を逸脱しない範囲内で種々の改良，変形が可能である。例えば，プリンタに限らず，複写機，複合機，ＦＡＸ装置等，印刷機能を備えるものであれば適用可能である。また，プロセス部５０の画像形成方式は，電子写真方式に限らず，インクジェット方式であってもよい。また，カラー画像の形成が可能であっても，モノクロ画像専用であってもよい。
【００６８】
また，実施の形態では，プリンタ１００が増設排紙部２０を装着し，複数の排紙トレイを備えているが，排紙トレイが１つしかない印刷装置であっても本発明を適用できる。この場合，必要性判定処理において，他のトレイについての必要性判断（Ｓ１２７，１２８）は行わなくてもよい。
【００６９】
また，実施の形態では，排紙先の情報とジョブキューの情報との両方を取得し，両方ともに識別ユーザの印刷物あるいはジョブが無い場合に機会付与処理が不要と判定しているが（Ｓ１２６），排紙先とジョブキューとのいずれか一方のみを取得し，機会付与処理の必要有無を判定してもよい。
【００７０】
また，実施の形態では，ユーザがパネル操作によって識別番号を入力することでユーザ認証を行っているが，ユーザ認証方法としてはこれに限るものではない。例えば，ＲＦＩＤタグを利用した無線通信によって自動認証を行ってもよい。この場合，ＲＦＩＤタグが付着した社員証等をユーザが保持し，プリンタ１００がＲ／Ｗ装置６１によってそのＲＦＩＤタグの情報を読み取ることでユーザを識別する。
【００７１】
また，実施の形態では，ユーザ認証を行ったことを契機に，排紙調整処理（すなわち，識別ユーザの情報等に基づいて機会付与処理の必要性を判定し，必要有りと判定された場合に機会付与処理を実行する処理）を実行しているが，排紙調整処理の実行条件はこれに限るものではない。例えば，機会付与処理の実行を指示する入力ボタンを設け，その入力ボタンの押下を契機に，排紙調整処理を実行してもよい。
【００７２】
また，実施の形態では，ユーザ認証を行った際の必要判定処理で，機会付与処理が必要有りと判定されると，即時に機会付与処理を実行しているが，これに限るものではない。例えば，機会付与処理が必要有りと判定された後，現在印刷中の印刷ジョブの印刷完了を待って機会付与処理を実行してもよい。
【００７３】
また，実施の形態では，規定時間の経過を待って機会付与処理を取り消しているが，機会付与処理の取り消し条件はこれに限るものではない。例えば，機会付与処理の取り消しを指示する入力ボタンを設け，その入力ボタンの押下を契機に，機会付与処理を取り消してもよい。また，各排紙トレイに重量センサを配置し，排紙先となっている排紙トレイのセンサが印刷物が取り除かれたことを検知したことを契機に，機会付与処理を取り消してもよい。
【符号の説明】
【００７４】
１０    本体部
２０    増設排紙部
４０    操作パネル
４１    表示部
５０    プロセス部
６１    Ｒ／Ｗ装置
９１    給紙カセット
９３    排紙トレイ
１００  プリンタ
【図１】
0005533392.tif 000002
【図２】
0005533392.tif 000003
【図３】
0005533392.tif 000004
【図４】
0005533392.tif 000005
【図５】
0005533392.tif 000006
【図６】
0005533392.tif 000007
【図７】
0005533392.tif 000008
【図８】
0005533392.tif 000009
【図９】
0005533392.tif 000010